(57)【要約】  ACGWは、CNからMBMSデータを表すパケットデータを受信する手段と、パケットデータに所定のデータ単位毎に第1のシーケンス番号SNAを付与する手段と、SNA共にパケットデータを1以上の基地局に送信する手段とを有する。基地局の各々は、所定のデータ単位及び無線パケットのデータ単位の大小関係に応じて、個々の無線パケットに付与する第２のシーケンス番号SNBを、受信したSNAから導出する手段と、SNBと共に無線パケットをユーザ装置に送信する手段とを有する。
2007111320.tif 000002
【特許請求の範囲】
【請求項１】
回線接続を管理する複数の基地局と、該複数の基地局及びコアネットワークの間に接続された通信ノードとを有する移動通信システムであって、前記通信ノードは、
前記コアネットワークからマルチキャストブロードキャストマルチメディアサービス（MBMS）データを表すパケットデータを受信する手段と、
前記パケットデータに所定のデータ単位毎に第1のシーケンス番号を付与する手段と、
前記第1のシーケンス番号と共にパケットデータを1以上の基地局に送信する手段とを有し、前記複数の基地局の各々は、受信した第1のシーケンス番号と同一の又は異なる第２のシーケンス番号と共に無線パケットをユーザ装置に送信する手段とを有する
ことを特徴とする移動通信システム。
【請求項２】
前記複数の基地局の各々は、前記所定のデータ単位と無線パケットのデータ単位の大小関係に応じて、個々の無線パケットに付与する第２のシーケンス番号を、受信した第1のシーケンス番号から導出し、前記第２のシーケンス番号と共に無線パケットをユーザ装置に送信する
を有することを特徴とする請求項１記載の移動通信システム。
【請求項３】
前記複数の基地局の各々は、MBMSデータを表すパケットデータの伝送に関し、再送制御機能をオフにするトランスペアレントモードで動作し、前記第１のシーケンス番号と同一の第２のシーケンス番号と共に無線パケットをユーザ装置に送信する
ことを特徴とする請求項１記載の移動通信システム。
【請求項４】
コアネットワークと回線接続を管理する複数の基地局との間に接続された通信ノードであって、
前記コアネットワークからマルチキャストブロードキャストマルチメディアサービス（MBMS）データを表すパケットデータを受信する手段と、
前記パケットデータに所定のデータ単位毎に第1のシーケンス番号を付与する手段と、
前記第1のシーケンス番号と共にパケットデータを1以上の基地局に送信する手段とを有し、前記第１のシーケンス番号と同一の又は異なる第２のシーケンス番号と共に無線パケットが基地局からユーザ装置に送信される
ことを特徴とする通信ノード。
【請求項５】
前記所定のデータ単位と無線パケットのデータ単位の大小関係に応じて導出された第２のシーケンス番号と共に無線パケットが基地局からユーザ装置に送信される
ことを特徴とする請求項４記載の通信ノード。
【請求項６】
１以上の基地局各々へのパケットデータが、無線パケットのデータ単位に合わせて区分けされ及び送信される
ことを特徴とする請求項４記載の通信ノード。
【請求項７】
MBMSデータを表すパケットデータの伝送に関し、再送制御機能をオフにするトランスペアレントモードで動作する基地局により、前記第１のシーケンス番号と同一の第２のシーケンス番号と共に無線パケットがユーザ装置に送信される
ことを特徴とする請求項４から請求項６の何れかに記載の通信ノード。
【請求項８】
MBMSデータを表すパケットデータの宛先となる１以上の基地局を、MBMSデータに応じて決定するMBMSスケジューラ
を更に有することを特徴とする請求項４から請求項７の何れかに記載の通信ノード。
【請求項９】
前記MBMSスケジューラが、前記パケットデータを１以上の基地局に送信するタイミングを決定する
ことを特徴とする請求項８記載の通信ノード。
【請求項１０】
通信ノードを介してコアネットワークに接続され、回線接続を管理する基地局であって、
前記コアネットワーク及び前記通信ノードを介してマルチキャストブロードキャストマルチメディアサービス（MBMS）データを表すパケットデータを、所定のデータ単位毎に付与された第1のシーケンス番号と共に受信する手段と、
前記第1のシーケンス番号と同一又は異なる第２のシーケンス番号と共に無線パケットをユーザ装置に送信する手段と、
を有することを特徴とする基地局。
【請求項１１】
前記所定のデータ単位及び無線パケットのデータ単位の大小関係に応じて、個々の無線パケットに付与する第２のシーケンス番号を、前記第1のシーケンス番号から導出する手段
を有することを特徴とする請求項１０記載の基地局。
【請求項１２】
MBMSデータを表すパケットデータの伝送に関し、再送制御機能をオフにするトランスペアレントモードで動作し、前記第１のシーケンス番号と同一の第２のシーケンス番号と共に無線パケットをユーザ装置に送信する
ことを特徴とする請求項１０記載の基地局。
【請求項１３】
回線接続を管理する複数の基地局と、該複数の基地局及びコアネットワークの間に接続された通信ノードとを有する移動通信システムで使用される方法であって、
前記コアネットワークからマルチキャストブロードキャストマルチメディアサービス（MBMS）データを表すパケットデータを受信するステップと、
前記パケットデータに所定のデータ単位毎に第1のシーケンス番号を付与するステップと、
前記第1のシーケンス番号と共にパケットデータを1以上の基地局に送信するステップとを有し、前記第１のシーケンス番号と同一の又は異なる第２のシーケンス番号と共に無線パケットが基地局からユーザ装置に送信される
ことを特徴とする方法。
【請求項１４】
回線接続を管理する複数の基地局と、該複数の基地局及びコアネットワークの間に接続された通信ノードとを有する移動通信システムで使用される方法であって、
前記コアネットワーク及び前記通信ノードを介してマルチキャストブロードキャストマルチメディアサービス（MBMS）データを表すパケットデータを、所定のデータ単位毎に付与された第1のシーケンス番号と共に受信するステップと、
前記第1のシーケンス番号と同一又は異なる第２のシーケンス番号と共に無線パケットをユーザ装置に送信するステップと、
を有することを特徴とする方法。
【発明の詳細な説明】
【技術分野】
【０００１】
本発明は移動通信の技術分野に関し、特にマルチキャストブロードキャストマルチメディアサービス（MBMS）データを伝送するための移動通信システム、通信ノード、基地局及び方法に関連する。
【背景技術】
【０００２】
移動通信システムの発達により、特定のユーザ装置宛のユニキャストチャネルだけでなく、１以上の特定の又は不特定のユーザ装置宛のチャネルを伝送することが検討されている。後者の代表的なものはMBMSである。複数のセルから同一のMBMSデータが送信され、ユーザ装置は複数のセルから受信するMBMSデータを合成する。これによりMBMSデータに関するサービス品質の向上を図ることができる。適切に合成を行うにはユーザ装置は受信したMBMSデータが何であるか（何番目のデータであるか等）を適切に判断しなければならない。【０００３】
図１は従来の移動通信システムの概念図を示す。ユーザ装置（UE:  User  Equipment）及びコアネットワーク（CN:  Core  Network）の間に設けられる無線アクセスネットワーク装置（RAN:  Radio  Access  Network）は、複数の基地局（NodeB）とそれらを制御する無線ネットワークコントローラ又はセントラルノード（RNC:  Radio  Network  Controller）で構成される。基地局はユーザ装置と無線通信を行う。このように従来のIMT-2000移動通信システムでは、無線リンクコントロール（RLC）レイヤがRNCで終端されている。従って、RNCは上位装置からのMBMSデータにRNS内で共通のシーケンス番号（SN）を割当てて適切なタイミングで各基地局に送信し、各セルからのMBMSデータをユーザ装置が適切に選択合成するようにできる。【０００４】
RAN内で共通のシーケンス番号を割り当てることについては、例えば非特許文献１に記載されている。また、複数のセルから受信したMBMSデータをユーザ装置で選択合成することについては、例えば非特許文献２に記載されている。
【非特許文献１】3GPP  TS.25.346.5.2.2
【非特許文献２】3GPP  TS.25.346.7.1
【発明の開示】
【発明が解決しようとする課題】
【０００５】
ところで、ユーザ装置に対する回線接続時間を短縮化する等の観点から、将来的な移動通信システムであるLTE（ロングタームエボリューション）システムでは、無線ネットワーク装置（RNC）の機能を多数の基地局（NodeB）に分散し、RNC機能及び基地局（NodeB）機能を統合した新たな基地局（eNodeB）とする（セントラルノードを排除する）ことが提案されている。各基地局はコアネットワーク中の或る通信ノード（例えば、アクセスゲートウェイ、ルータ、スイッチ等と呼ばれてもよい。）に接続される。アクセスゲートウェイ（aGW）は、GGSN機能、SGSN機能及びRNC機能が一体化することが提案されている。このような方式はユニキャストチャネルの通信に特に有利である。一方、上述したようにMBMSデータを伝送する場合には、ユーザ装置（UE）は受信したMBMSデータが何であるかを適切に判断しなければならない。しかしながらLTEシステムではRLCに相当する機能（Outer ARQと呼ばれてもよい。）が基地局で終端されるので、複数の基地局間で共通のシーケンス番号をMBMSデータに付けて各基地局から適切なタイミングで送信することは容易でない。この場合に、例えばGPS等を用いたタイミング調整機能が全ての基地局に装備され、各基地局が互いに同期してMBMSデータを送信すれば、タイミングに関する問題は解消されるかもしれないが、そのような手法はシステムを簡易に構築する等の要請から妥当でない。特に、屋内系の基地局は、GPSの電波を直接受信する事が難しく、むしろ非同期で動作させる方が好ましい場合もある。【０００６】
本発明の課題は、アクセスゲートウェイを通じてコアネットワークに接続され且つ回線接続を管理する複数の基地局を有する移動通信システムにおいて、非同期の複数の基地局からユーザ装置に伝送されるMBMSデータの異同判別を確実にすることである。
【課題を解決するための手段】
【０００７】
本発明では、回線接続を管理する複数の基地局と、該複数の基地局及びコアネットワークの間に接続された通信ノードとを有する移動通信システムが使用される。前記通信ノードは、前記コアネットワークからマルチキャストブロードキャストマルチメディアサービス（MBMS）データを表すパケットデータを受信する手段と、前記パケットデータに所定のデータ単位毎に第1のシーケンス番号を付与する手段と、前記第1のシーケンス番号と共にパケットデータを1以上の基地局に送信する手段とを有する。前記複数の基地局の各々は、受信した第1のシーケンス番号と同一の又は異なる第２のシーケンス番号と共に無線パケットをユーザ装置に送信する手段を有する。
【発明の効果】
【０００８】
アクセスゲートウェイを通じてコアネットワークに接続され且つ回線接続を管理する複数の基地局を有する移動通信システムにおいて、非同期の複数の基地局からユーザ装置に伝送されるMBMSデータの異同判別を確実にすることができる。
【図面の簡単な説明】
【０００９】
【図１】従来の移動通信システムを示す図である。
【図２】本発明の一実施例による移動通信システムを示す図である。
【図３】本発明の一実施例によるアクセスゲートウェイを示す図である。
【図４】本発明の一実施例による基地局を示す図である。
【図５】第１のシーケンス番号を第２のシーケンス番号にそのまま適用する例を示す図である。
【図６】第１のシーケンス番号１つに複数の第２のシーケンス番号が対応する例を示す図である。
【図７】本発明の一実施例による動作例を示す図である。
【図８】本発明の一実施例によるアクセスゲートウェイを示す図である。
【図９】本発明の一実施例による基地局を示す図である。
【図１０】本発明の一実施例によるユーザ装置を示す図である。
【符号の説明】
【００１０】
31  有線伝送部
32  FP部
32'MBMS  UPE部
33  スケジューラ
34  制御部
41  有線伝送部
42  FP部
42'スケジューラ
43  データサイズ分析部
44  送信データ作成部
45  無線伝送部
46  制御部
101  制御部
102  無線伝送部
103  MBMS  UPE部
CN  コアネットワーク
RAN  無線アクセスネットワーク装置
RNC  無線ネットワークコントローラ
RLC  無線リンクコントロール
NodeB   RNC配下の従来の基地局
eNodeB  RNCを有しないLTEでの基地局
UE  ユーザ装置
FP  フレームプロトコル
PDU  パケットデータユニット
【発明を実施するための最良の形態】
【００１１】
本発明の一形態によれば、アクセスゲートウェイと基地局との間で、ユーザデータを転送するためのU-Plane(UP)プロトコルが定義され、そのプロトコルのデータ単位にはデータ毎にシーケンスナンバー（シーケンス番号）が割り当てられる。本願におけるアクセスゲートウェイなる用語は、基地局の上位ノードに関連して広く使用され、以下に説明される機能を発揮する何らかのノードに関して使用され、例えばSAEゲートウェイと呼ばれてもよい概念である。【００１２】
基地局は、セントラルノードから転送されてきたUPプロトコルPDUに割当てられているシーケンスナンバーを自動再送要求処理機能（例えば、Outer ARQ）用のシーケンスナンバーに設定する。【００１３】
データフレームには、データの送出スケジュールが含まれており、PDUは送出スケジュールまで（スケジューリングで予定されたタイミングが訪れるまで）基地局で格納されることが望ましい。【００１４】
データフレームのデータサイズが無線パケットより大きい場合には、データは分割され、分割される毎にPDUに付与されるシーケンスナンバーもインクリメントされる。【００１５】
このように本発明の一形態によればセントラルノードで割当てられたUPプロトコルのシーケンスナンバーがOuter  ARQ  PDUのシーケンスナンバーに流用され、基地局間でシーケンスナンバーの同期を図ることができる。言い換えれば、ＡＲＱの終端ノードが基地局である移動通信システムでMBMSデータを伝送する際に、基地局間でシーケンスナンバーを適切に同期させることができる。また、基地局間で同一データを伝送することが確実になり、ユーザ装置で各セルから受信されたデータの合成が容易になる。【００１６】
更に、サービス内容に応じてMBMSデータを適切な基地局に送信する観点からは、MBMSデータを表すパケットデータの宛先となる１以上の基地局を、MBMSデータに応じて決定するMBMSスケジューラがセントラルノードに設けられてもよい。各基地局から適切な周期でMBMSデータを伝送する観点からは、MBMSスケジューラは、パケットデータを１以上の基地局に送信するタイミングを決定してもよい。【００１７】
無線パケットに付与するシーケンス番号を簡易に決定する観点からは、１以上の基地局各々へのパケットデータが、無線パケットのデータ単位に合わせて区分けされ及び送信されてもよい。【００１８】
また、本発明の一形態によれば、ACGWとUEとの間で、MBMSデータを伝送するためのプロトコル/機能エンティティが新たに定義され、本実施例では、それをMBMS UPEと呼ぶ。ACGWのMBMS UPEでは、所定のデータ単位毎にシーケンスナンバーを付与し、1以上の基地局へデータフレームを伝送する。【００１９】
基地局は、該当データがMBMSデータである事を認識し、自動再送制御処理機能（例えば、Outer ARQ、HARQ機能）をオフとし、スケジューラのみオンにする。従ってユニキャストチャネルとは異なり、MBMSデータはユーザ毎に自動再送制御処理機能（ARQ）の処理がなされない（その代わりに同一のMBMSデータが全ユーザに所定回数だけ反復的に送信されてもよい。）。データフレームには、データの送出スケジュールが含まれており、PDUは送出スケジュールまで（スケジューリングで予定されたタイミングが訪れるまで）基地局で格納されることが望ましい。【００２０】
移動局は、該当プロトコル/機能エンティティで無線パケットを受信することにより、移動通信システムでMBMSデータを伝送する際に、基地局間でシーケンスナンバーを適切に同期させることができる。また、基地局間で同一データを伝送することが確実になり、ユーザ装置で各セルから受信されたデータの合成が容易になる。【００２１】
更に、サービス内容に応じてMBMSデータを適切な基地局に送信する観点からは、MBMSデータを表すパケットデータの宛先となる１以上の基地局を、MBMSデータに応じて決定するMBMSスケジューラがセントラルノードに設けられてもよい。各基地局から適切な周期でMBMSデータを伝送する観点からは、MBMSスケジューラは、パケットデータを１以上の基地局に送信するタイミングを決定してもよい。
【実施例１】
【００２２】
図２は本発明の一実施例による移動通信システムを示す。移動通信システムは、アクセスゲートウェイ（ACGW)、１以上の基地局（eNodeB）及び基地局と無線通信するユーザ装置（UE）を有する。ユーザ装置は典型的には移動局であるが、固定局でもよい。本実施例では無線アクセスネットワーク装置（RAN）は複数の基地局(eNodeB)で構成され、RAN内に複数の基地局(eNodeB)の上位装置(3Gで言うところのRNC)は存在しない。アクセスゲートウェイ（ACGW）はコアネットワークに属する機能要素又はエンティティであり、MBMSデータを下位に転送する機能を有することに加えて、フレームプロトコル（FP）によるシーケンス番号（SN）を付与する機能及び1以上の基地局へMBMSデータを伝送するためのスケジューリングを行う機能を有する。MBMSデータはコアネットワークに接続されたブロードキャストマルチキャストサービスセンター（BM−SC）のようなサーバから供給される。本実施例ではこれら及び後述の機能を有する要素はアクセスゲートウェイ（ACGW）であるが、同様な機能はルータ、経路制御装置、スイッチその他のパケットを各基地局に伝送する通信ノードに装備されてもよい。各基地局は、ユーザ装置との無線通信及びアクセスゲートウェイ(ACGW)との有線通信を行う機能を有することに加えて、回線接続に関する管理、無線のスケジューラ、自動再送制御（ARQ）及びハンドオーバ制御等の機能も有する。【００２３】
図３はアクセスゲートウェイ（ACGW）の機能ブロック図を示す。図３には有線伝送部31、FP部32、スケジューラ33及び制御部34が示されている。実際には他の機能要素も存在するが、説明の簡明化を図るため、本発明に特に関連する機能要素のみが図示されている点に留意を要する（他の図でも同様である）。【００２４】
有線伝送部31は上位装置からのパケットを受信する機能、及びスケジューラ33からの指示に従ってパケットを１以上の基地局に送信する機能を有する。【００２５】
FP部32は受信したパケット（本実施例ではMBMSデータを表すパケットに着目している）に所定のデータ単位毎に連続的にシーケンス番号（第１のシーケンス番号）を付与する。シーケンス番号の付与されたパケットは有線伝送部31に伝送される。アクセスゲートウェイ（ACGW）及び基地局間では或るデータフレームを用いてパケットの伝送が行われる。データフレームを規定するプロトコルは本実施例ではフレームプロトコル（FP）である。しかしながら本発明はそのプロトコルに限定されず、例えばGTP(GPRS:General Packet Radio Service）トンネリングプロトコル)のような適切な如何なるプロトコルが使用されてもよい。いずれにせよ、使用されるプロトコルに応じて上記の「所定のデータ単位」がどの程度の大きさであるか等が規定される。【００２６】
スケジューラ33はMBMSデータを表すパケットをどの基地局にどのようなタイミングで送信するかを決定し、決定内容を有線伝送部31に通知する。有線伝送部31はその決定内容（スケジューリング内容）に従って、シーケンス番号の付されたパケットを1以上の基地局に伝送する。同一のMBMSデータが送信される１以上のセルはサービス内容に応じて異なってもよい。このため、スケジューラ33はサービス内容に応じてMBMSデータを配信する1以上の基地局がどれであるかを判定する。また、同一のMBMSデータが各基地局から伝送される頻度又は周期もサービス内容に応じて異なってもよい。このためスケジューラ33は、MBMSデータが適切な周期で各基地局から伝送されるように、サービス内容に応じて各基地局へ伝送するタイミングを適切に調整する機能もあわせて有する。【００２７】
制御部34はアクセスゲートウェイ（ACGW）内の様々な機能要素に対する制御を行う。【００２８】
図４は本発明の一実施例による基地局(eNodeB)を示す。図４には有線伝送部41、FP部42、データサイズ分析部43、送信データ作成部44、無線伝送部45及び制御部46が示されている。【００２９】
有線伝送部41はアクセスゲートウェイ（ACGW）からのパケット（本実施例ではMBMSデータを表すパケットに着目している）を受信する。このパケットは本実施例ではFPプロトコルで規定されたデータフレームで伝送され、便宜上FPデータフレームと言及される。FPデータフレームはFP部42に伝送される。【００３０】
FP部42はFPデータフレームのシーケンス番号（第1のシーケンス番号）を確認し、そのシーケンス番号を送信データ作成部44に通知する。【００３１】
データサイズ分析部43は受信したFPデータフレームのデータサイズを分析し、分析結果を送信データ作成部44に通知する。上述したように第1のシーケンス番号は所定のデータ単位毎にFPデータフレームに付与される。データサイズ分析部43は「所定のデータ単位」がどの程度の大きさであるかを分析する。【００３２】
送信データ作成部44は、FPデータフレームの所定のデータ単位と無線パケットのデータ単位とを比較し、比較結果（データ単位の大小関係）に応じて無線パケットに付与するシーケンス番号（第２のシーケンス番号）を決定する。例えば、FPデータフレーム及び無線パケットのデータ単位が小さいならば、第1のシーケンス番号がそのまま第２のシーケンス番号に使用されてもよい。しかしながら一般的には所定のデータ単位が無線パケットのデータ単位より大きい。この場合、第１のシーケンス番号１つに複数の第２のシーケンス番号が対応してよい。送信データ作成部44は受信したFPデータフレームのサイズを無線パケット用に調整し、その各々に第２のシーケンス番号を連続的に付与する。【００３３】
無線伝送部45は第２のシーケンス番号と共に個々の無線パケットをユーザ装置に送信する。【００３４】
制御部46は基地局内の様々な機能要素に対する制御を行う。【００３５】
図５は本実施例による動作例の説明図である。図示の例では第１のシーケンス番号が第２のシーケンス番号にそのまま適用される。アクセスゲートウェイ（ACGW）はMBMSデータを表すパケットを、FPプロトコルに従って各基地局に伝送する。伝送されるパケットは図中FPPDU1, FPPDU2,FPPDU3,...として示されるようにFPプロトコルで規定される所定のデータ単位（PDU:パケットデータユニット）で伝送される。FPPDU1, FPPDU2,FPPDU3,...にはシーケンス番号SNA1，SNA2，SNA3，...がデータ単位毎に連続的に付与される。図示の例ではそのデータ単位は無線パケットのデータ単位に等しい又はそれより小さい。このため、第1のシーケンス番号SNA1，SNA2，SNA3，...の各々に第２のシーケンス番号SNB1，SNB2，SNB3，...がそのまま流用できる。各基地局は無線パケットPDU1,PDU2,PDU3,...に第２のシーケンス番号SNB1，SNB2，SNB3，...をそれぞれ付与し、配下のユーザ装置に無線送信する。【００３６】
図６も本実施例による動作例の説明図である。図示の例では、アクセスゲートウェイ（ACGW）が基地局（eNodeB）に伝送するFPPDUのデータ単位が、無線パケットのデータ単位より大きい。このため、第１のシーケンス番号１つに複数の第２のシーケンス番号が対応するように第２のシーケンス番号が導出される。図６では第1のシーケンス番号１つ（SNA1）に３つの第２のシーケンス番号（SNB1，SNB2，SNB3）が対応している様子が示されている。第１のシーケンス番号に第２のシーケンス番号をいくつ対応させるかは適宜変更可能である。
【実施例２】
【００３７】
第１実施例ではアクセスゲートウェイ(ACGW)及び基地局(eNodeB)間で終端されたフレームプロトコル（FP）が使用されていたが、本発明の第２実施例ではアクセスゲートウェイ（ACGW）及びユーザ装置（UE）間で終端されるプロトコルが新たに定義され、便宜上「MBMS  UPE(MBMS U-Plane Entity)」として言及又は図示される。【００３８】
図７に示されるように、MBMS  UPEは、MBMS用のUプレーン機能エンティティである。この機能を実行することで、コアネットワーク（CN）から受信されたパケットは、所定のデータ単位、例えば、無線パケットのサイズに分割され、それらは1以上の基地局へ伝送される。無線パケットのサイズに合わせてシーケンス番号が付与される。MBMSデータの伝送に関し、基地局は、自動再送制御機能（例えば、Outer ARQ、HARQ）をオフにして動作する（即ち、トランスペアレントモードで動作する）。アクセスゲートウェイ（ACGW）のMBMS  UPEにより作成されたデータはシーケンス番号と共に基地局に伝送される。無線パケットに付与するシーケンス番号としては、アクセスゲートウェイで作成されたものをそのまま流用できる。従って基地局はシーケンス番号の再付与を行うことを必要とせず、単に無線リソースに関するスケジューリングを行うことで、ユーザ装置にMBMSデータを適切に無線送信できる。【００３９】
上記の説明ではOuterARQ(RLC)のシーケンス番号(SN)が使用されているが、本発明はPDCPのシーケンス番号にも当然に適用可能である。【００４０】
図８は本実施例で使用されるアクセスゲートウェイ（ACGW）の機能ブロック図を示す。図８には有線伝送部31、MBMS  UPE部32'、スケジューラ33及び制御部34が示されている。【００４１】
有線伝送部31は上位装置からのパケットを受信する機能、及びスケジューラ33からの指示に従ってパケットを１以上の基地局に送信する機能を有する。【００４２】
MBMS  UPE部32'は受信したパケット（本実施例ではMBMSデータを表すパケットに着目している）に所定のデータ単位毎に連続的にシーケンス番号（第１のシーケンス番号）を付与する。シーケンス番号の付与されたパケットは有線伝送部31に伝送される。MBMS  UPE部32'は、アクセスゲートウェイ（ACGW）及びユーザ装置間で終端されるプロトコルでデータ伝送が行われるようにパケットサイズを調整する。パケットサイズは、無線パケットのサイズに合わせて区分けされ、区分けされたパケットデータ毎にシーケンス番号が付与される。【００４３】
スケジューラ33はMBMSデータを表すパケットをどの基地局にどのようなタイミングで送信するかを決定し、決定内容を有線伝送部31に通知する。有線伝送部31はその決定内容（スケジューリング内容）に従って、シーケンス番号の付されたパケットを1以上の基地局に伝送する。第1実施例と同様にスケジューラ33はサービス内容に応じてMBMSデータを配信する1以上の基地局がどれであるかを判定する。また、スケジューラ33は、MBMSデータが適切な周期で各基地局から伝送されるように、サービス内容に応じて各基地局へ伝送するタイミングを適切に調整する機能もあわせて有する。【００４４】
制御部34はアクセスゲートウェイ（ACGW）内の様々な機能要素に対する制御を行う。【００４５】
図９は本実施例による基地局(eNodeB)を示す。図９には有線伝送部41、スケジューラ42'、無線伝送部45及び制御部46が示されている。【００４６】
有線伝送部41はアクセスゲートウェイ（ACGW）からのパケット（本実施例ではMBMSデータを表すパケットに着目している）を受信する。このパケットは本実施例ではMBMS  UPE部32'で処理された、無線パケットサイズに調整されたパケットである（便宜上UPEデータフレームと言及される）。UPEデータフレームはスケジューラ42'に伝送される。【００４７】
スケジューラ42'はユーザ装置に送信する無線パケットに対するスケジューリングを行い、UPEデータフレームのシーケンス番号と共に無線伝送部45に出力する。【００４８】
無線伝送部45は通知されたシーケンス番号と共に個々の無線パケットをユーザ装置に送信する。【００４９】
制御部46は基地局内の様々な機能要素に対する制御を行う。【００５０】
図１０は本実施例で使用されるユーザ装置を示す。図１０には制御部101、無線伝送部102及びMBMS  UPE部103が示されている。制御部101はユーザ装置内の様々な機能要素に対する制御を行う。無線伝送部102は基地局から無線パケット（本実施例ではMBMSデータを表すパケットの伝送に着目している。）を受信する。MBMS  UPE部103は、無線伝送部102で受信したMBMSデータに付与されているシーケンス番号を検出する。この処理部は、図３のMBMS  UPE部32'に対応するものである。検出されたシーケンス番号は、不図示の要素に伝送され、MBMSコンテンツの合成に使用される。【００５１】
以上、本発明の好ましい実施例を説明したが、本発明はこれに限定されるわけではなく、本発明の要旨の範囲内で種々の変形及び変更が可能である。説明の便宜上、本発明が幾つかの実施例に分けて説明されてきたが、各実施例の区分けは本発明に本質的ではなく、１以上の実施例が必要に応じて使用されてよい。【００５２】
本国際出願は西暦２００６年３月２８日に出願した日本国特許出願第２００６−０８９４２６号に基づく優先権を主張するものであり、その全内容を本国際出願に援用する。
【図１】
2007111320.tif 000003
【図２】
2007111320.tif 000004
【図３】
2007111320.tif 000005
【図４】
2007111320.tif 000006
【図５】
2007111320.tif 000007
【図６】
2007111320.tif 000008
【図７】
2007111320.tif 000009
【図８】
2007111320.tif 000010
【図９】
2007111320.tif 000011
【図１０】
2007111320.tif 000012
【国際調査報告】
2007111320.tif 000013
2007111320.tif 000014
2007111320.tif 000015
2007111320.tif 000016